【手続補正書】
【提出日】平成28年4月26日(2016.4.26)
【手続補正１】
【補正対象書類名】特許請求の範囲
【補正対象項目名】全文
【補正方法】変更
【補正の内容】
【特許請求の範囲】
【請求項１】
発電要素を電池容器に収納した電池において、
電池容器の上端開口部を塞ぐ蓋板であって、該蓋板の上面から突出させた凸状の回り止め部を有し、且つ該回り止め部と他の部位とが一体である蓋板と、
台座部とこの台座部の上方に突出するボルト部とを備え、前記蓋板上に配置された外部端子と、
前記台座部と前記回り止め部との間に配置される端子絶縁材と、を備え、
前記外部端子の台座部が前記端子絶縁材を介して蓋板の回り止め部に係止されることにより、ボルト部の軸線を中心としたこの外部端子の回転が制限される
ことを特徴とする電池。
【請求項２】
前記端子絶縁材は、蓋板の上面における少なくとも回り止め部の表面を覆うように形成又は接合されていることを特徴とする請求項１に記載の電池。
【請求項３】
前記外部端子の台座部は、前記端子絶縁材に係止されることによりボルト部の軸線を中心としたこの端子絶縁材に対する外部端子の回転を制限され、
前記端子絶縁材は、前記蓋板の回り止め部に係止されることによりボルト部の軸線を中心としたこの蓋板に対する回転を制限されることを特徴とする請求項１又は２に記載の電池。
【請求項４】
発電要素を電池容器に収納した電池において、
電池容器の上端開口部を塞ぐ蓋板であって、該蓋板の上面から突出させた凸状の回り止め部を有し、該回り止め部と他の部位とが一体である蓋板と、
台座部と台座部から上方に突出する突出部であって突出上端面から下方を向くねじ穴が穿設された突出部とを有し、前記蓋板上に配置された外部端子と、
前記台座部と前記回り止め部との間に配置される端子絶縁材と、を備え、
前記外部端子の台座部が前記端子絶縁材を介して蓋板の回り止め部に係止されることにより、ボルト部の軸線を中心としたこの外部端子の回転が制限される
ことを特徴とする電池。
【請求項５】
発電要素を電池容器に収納した電池において、
電池容器の上端開口部を塞ぐ蓋板であって、上下に貫通する端子引出貫通孔と該蓋板の上面から突出させた凸状の回り止め部とを有し、該回り止め部と他の部位とが一体である蓋板と、
蓋板の端子引出貫通孔を通して下部が電池容器内部に貫入し発電要素の電極に接続されると共に、この蓋板に封止材を介して封止固着された補助端子と、
補助端子の上部に一部が接続固定されると共に、他の部位に端子接続部が形成された接続導体と、
台座部と台座部から上方に突出する突出部であって突出上端面から下方を向くねじ穴が穿設された突出部とを有し、接続導体の端子接続部にこの突出部を接続させると共に、前記蓋板上に配置された外部端子と、
前記台座部と前記回り止め部との間に配置される端子絶縁材と、を備え、
前記外部端子の台座部が前記端子絶縁材を介して蓋板の回り止め部に係止されることにより、ボルト部の軸線を中心としたこの外部端子の回転が制限される
ことを特徴とする電池。
【手続補正２】
【補正対象書類名】明細書
【補正対象項目名】００１６
【補正方法】変更
【補正の内容】
【００１６】
請求項１は、発電要素を電池容器に収納した電池において、電池容器の上端開口部を塞ぐ蓋板であって、該蓋板の上面から突出させた凸状の回り止め部を有し、且つ該回り止め部と他の部位とが一体である蓋板と、台座部とこの台座部の上方に突出するボルト部とを備え、前記蓋板上に配置された外部端子と、前記台座部と前記回り止め部との間に配置される端子絶縁材と、を備え、前記外部端子の台座部が前記端子絶縁材を介して蓋板の回り止め部に係止されることにより、ボルト部の軸線を中心としたこの外部端子の回転が制限されることを特徴とする。
【手続補正３】
【補正対象書類名】明細書
【補正対象項目名】００１７
【補正方法】変更
【補正の内容】
【００１７】
請求項２では、前記端子絶縁材は、蓋板の上面における少なくとも回り止め部の表面を覆うように形成又は接合されていることを特徴とする。
【手続補正４】
【補正対象書類名】明細書
【補正対象項目名】００１８
【補正方法】変更
【補正の内容】
【００１８】
請求項３では、前記外部端子の台座部は、前記端子絶縁材に係止されることによりボルト部の軸線を中心としたこの端子絶縁材に対する外部端子の回転を制限され、前記端子絶縁材は、前記蓋板の回り止め部に係止されることによりボルト部の軸線を中心としたこの蓋板に対する回転を制限されることを特徴とする。
【手続補正５】
【補正対象書類名】明細書
【補正対象項目名】００１９
【補正方法】変更
【補正の内容】
【００１９】
請求項４は、発電要素を電池容器に収納した電池において、電池容器の上端開口部を塞ぐ蓋板であって、該蓋板の上面から突出させた凸状の回り止め部を有し、該回り止め部と他の部位とが一体である蓋板と、台座部と台座部から上方に突出する突出部であって突出上端面から下方を向くねじ穴が穿設された突出部とを有し、前記蓋板上に配置された外部端子と、を備えたことを特徴とすることを特徴とする。
【手続補正６】
【補正対象書類名】明細書
【補正対象項目名】００２０
【補正方法】変更
【補正の内容】
【００２０】
請求項５は、発電要素を電池容器に収納した電池において、電池容器の上端開口部を塞ぐ蓋板であって、上下に貫通する端子引出貫通孔と該蓋板の上面から突出させた凸状の回り止め部とを有し、該回り止め部と他の部位とが一体である蓋板と、蓋板の端子引出貫通孔を通して下部が電池容器内部に貫入し発電要素の電極に接続されると共に、この蓋板に封止材を介して封止固着された補助端子と、補助端子の上部に一部が接続固定されると共に、他の部位に端子接続部が形成された接続導体と、台座部と台座部から上方に突出する突出部であって突出上端面から下方を向くねじ穴が穿設された突出部とを有し、接続導体の端子接続部にこの突出部を接続させると共に、前記蓋板上に配置された外部端子と、を備えたことを特徴とする。
【手続補正７】
【補正対象書類名】明細書
【補正対象項目名】００２１
【補正方法】削除
【補正の内容】
【手続補正８】
【補正対象書類名】明細書
【補正対象項目名】００２２
【補正方法】削除
【補正の内容】
【手続補正９】
【補正対象書類名】明細書
【補正対象項目名】００２３
【補正方法】削除
【補正の内容】
【手続補正１０】
【補正対象書類名】明細書
【補正対象項目名】００２４
【補正方法】削除
【補正の内容】
【手続補正１１】
【補正対象書類名】明細書
【補正対象項目名】００２５
【補正方法】削除
【補正の内容】
【手続補正１２】
【補正対象書類名】明細書
【補正対象項目名】００２６
【補正方法】変更
【補正の内容】
【００２６】
本発明によれば、外部端子のボルト部に締め付けトルクが加わっても、蓋板の回り止め部がこの外部端子の回転を制限することができる。また、蓋板の回り止め部は、この蓋板の上面を部分的に上方に突出させて凸状にしたり、下方に窪ませて凹状としたものなので、外部端子の回り止めを確実に行うことができるだけでなく、別に回り止めの部品を用いる必要もなくなり、部品点数と組み立て作業工数を削減することができる。しかも、回り止め部は、例えば蓋板のプレス加工時に容易に一体的に形成することができ、この回り止め部の形状や大きさが共通なら、サイズの異なる電池の場合にも、端子構造を共通化させることができる。さらに、外部端子は、蓋板の上方から取り付けて台座部を回り止め部に係止することができるので、組み立てが容易となる。
【手続補正１３】
【補正対象書類名】明細書
【補正対象項目名】００２７
【補正方法】削除
【補正の内容】
【手続補正１４】
【補正対象書類名】明細書
【補正対象項目名】００２８
【補正方法】削除
【補正の内容】
【手続補正１５】
【補正対象書類名】明細書
【補正対象項目名】００２９
【補正方法】削除
【補正の内容】
【手続補正１６】
【補正対象書類名】明細書
【補正対象項目名】００３０
【補正方法】削除
【補正の内容】
【手続補正１７】
【補正対象書類名】明細書
【補正対象項目名】００３１
【補正方法】削除
【補正の内容】
【手続補正１８】
【補正対象書類名】明細書
【補正対象項目名】００３２
【補正方法】削除
【補正の内容】
【手続補正１９】
【補正対象書類名】明細書
【補正対象項目名】００３３
【補正方法】削除
【補正の内容】
【手続補正２０】
【補正対象書類名】明細書
【補正対象項目名】００３４
【補正方法】削除
【補正の内容】
【手続補正２１】
【補正対象書類名】明細書
【補正対象項目名】００３５
【補正方法】削除
【補正の内容】